(57)【要約】【課題】ネジが螺合されるとともに液体が進入する下穴の底部側に発生する筐体の割れを、確実に低減させることのできる構成を具備する防水機器を提供する。【解決手段】外装を構成する前カバー７と、前カバー７に設けられた、ネジ８が螺合される内周面１０ｓと底面１０ｔとを有するネジ下穴１０と、を具備し、ネジ下穴１０は、該ネジ下穴１０の中心軸Ｓを含んだ平面においてネジ下穴１０を断面としたとき、内周面１０ｓと底面１０ｔとの間が、曲面１６で繋がれた形状を有していることを特徴とする。【選択図】図３
2009216143.tif 000002
【特許請求の範囲】
【請求項１】
外装を構成する筐体と、
上記筐体に設けられた、ネジが螺合される内周面と底面とを有するネジ下穴と、
を具備し、
上記ネジ下穴は、該ネジ下穴の中心軸を含んだ平面において上記ネジ下穴を断面としたとき、上記内周面と上記底面との間が、曲面で繋がれた形状を有していることを特徴とする防水機器。
【請求項２】
外装を構成する筐体と、
上記筐体に設けられた、ネジが螺合される内周面と底面とを有するネジ下穴と、
を具備し、
上記ネジ下穴は、上記内周面と上記底面との間に、上記ネジ下穴の中心軸に沿った凸円錐形状を形成する曲面を有していることを特徴とする防水機器。
【請求項３】
前記筐体は、合成樹脂から構成されていることを特徴とする請求項１または２に記載の防水機器。
【請求項４】
上記ネジは、タッピンネジであることを特徴とする請求項１〜３のいずれか１項に記載の防水機器。
【請求項５】
上記ネジ下穴は上記筐体の外面に設けられており、上記ネジ下穴の上記底面側の上記筐体の内面において、上記ネジ下穴と対向する位置に、上記ネジ下穴の上記底面から離間する方向に突出する突部が設け設けられており、
上記筐体の内面は、上記ネジ下穴の中心軸を含んだ平面において上記筐体を断面としたとき、上記突部の突出面と該突出面を除く他の内面との間が、曲面で繋がれた形状を有していることを特徴とする請求項１〜４のいずれか１項に記載の防水機器。
【請求項６】
上記ネジ下穴は上記筐体の外面に設けられており、上記ネジ下穴の上記底面側の上記筐体の内面において、上記ネジ下穴と対向する位置に、上記ネジ下穴の上記底面から離間する方向に突出する突部が設け設けられており、
上記突部の突出面と該突出面を除く上記筐体の内面との間に、両面を繋ぐ曲面が設けられていることを特徴とする請求項１〜４のいずれか１項に記載の防水機器。
【発明の詳細な説明】
【技術分野】
【０００１】
本発明は、水密構造を有する防水機器に関する。
【背景技術】
【０００２】
水密構造を有することにより、水中や悪天候下においても使用できる防水機器、例えばカメラが周知であり、広く普及している。
【０００３】
防水構造を有するカメラの一例を挙げると、図６に、従来の防水カメラの構造の一例を概略的に示す断面図を示す。図６に示すように、カメラ３００の外装は、表示パネル４００を具備する後カバー３０と、外装カバー２０と、後カバー３０とで内部を水密にする前カバー７０とから主要部が構成されている。尚、前カバー７０の内部には、撮像ユニットや照明ユニット、各ユニットを駆動制御する制御ユニット等の内容物５００が固定されている。
【０００４】
より具体的には、略直方体の一面に開口を有する後カバー３０の該開口の周囲面である図６中左側の面（以下、前面と称す）の受け部に対し、水密用のＯリング１２０を介して、上記開口を覆うように前カバー７０が係止され、さらに前カバー７０の前面側から、後カバー３０の前面の受け部及び前カバー７０の前面に対し、前カバー７０の外周面を覆うように外装カバー２０が固定されている構造をカメラ３００が有している。
【０００５】
このことにより、カメラ３００を水中や悪天候下において使用したとしても、後カバー３０、前カバー７０、Ｏリング１２０による水密構造により、水や海水、温水等の液体が内容物５００に進入してしまうことが防止されている。
【０００６】
また、外装カバー２０は、前カバー７０の前面に設けられた、略円筒形状を有するネジボス内に形成された下穴５０に、外装カバー２０に形成された貫通孔２０ｈを介してタッピンネジ等のネジが螺合されることにより、前カバー７０の前面に対し固定されている。
【０００７】
ここで、ネジを筐体の下穴に螺合して固定を行うと、ネジによる締め付け応力により、下穴が形成された筐体、例えば図６においては、前カバー７０及び後カバー３０において、ネジ８０の螺合位置に、経時変化に伴って下穴から割れが発生し、該割れが発生した箇所を介して内容物５００に液体が進入してしまう場合があった。
【０００８】
尚、このことは、ネジに下穴に対し部分的に応力のかかるタッピンネジを用いた場合において特に発生しやすい。また、この問題は、一例として挙げたカメラ３００に限定された問題ではなく、防水機器の筐体に形成された液体が進入する下穴全てに共通する問題である。
【０００９】
また、ネジ止めによる下穴からの筐体の割れは、液体の進入のない下穴が形成された筐体の部位においても発生する問題ではあるが、液体、特に海水や温水等、浸透圧の高い液体が進入する箇所において、割れが特に発生しやすい。さらに、以上の問題は、筐体を構成する材料が、ＰＣ（ポリカーボネイト）樹脂、ＡＢＳ樹脂等の合成樹脂から構成されている場合において、特に発生しやすい。これは、通常、筐体が、合成樹脂から構成されている場合、ネジ締めの有無に関係なく、筐体が海水や温水等に浸されると、経時変化により、合成樹脂の分子量が低下して筐体にクラックが発生し、筐体の機械的強度が低下してしまうためである。特にネジなどにより発生した応力が残留すると、クラックの発生のおそれは高くなる。
【００１０】
そこで、このような問題に鑑み、特許文献１においては、防水機器の筐体に形成された下穴におけるタッピンネジが螺合される側（以下、開口側と称す）の穴の径が、下穴の他の部位の穴径よりも大径に形成されているとともにタッピンネジの外径よりも大きく形成されていることにより、防水機器の筐体の下穴にタッピンネジが螺合されたとしても、タッピンネジから作用される締め付け応力を緩和して、タッピンネジの締め付け応力が最も作用する下穴の開口側に発生する筐体の割れを効果的に防止する構成が開示されている。
【特許文献１】特開２００６−３１６８１８号公報
【発明の開示】
【発明が解決しようとする課題】
【００１１】
ところが、特許文献１に開示された構成においては、ネジの螺合に伴って、筐体における下穴の開口側に発生する割れを防止することはできても、筐体における下穴の底部側に発生する割れを防止することはできないといった問題あった。
【００１２】
具体的には、図６に示すように、前カバー７０の内面７０ｎにおける下穴５０の対向部位には、下穴５０の底部５０ｔと内面７０ｎとの間の肉厚を確保するため、内面７０ｎから離間する方向に突出する突部１５０が設けられている。
【００１３】
しかしながら、下穴５０に対しネジ８０が螺合された際、ネジ８０の螺合に伴う締め付け応力は、下穴５０における底部５０ｔのエッジ部５０ｅに集中しやすいとともに、エッジ部５０ｅが形成された部位は、構造上、前カバー７０を構成する材料の分子密度が粗に形成されてしまうことから、突部１５０が設けられていたとしても、経時変化に伴って、エッジ部５０ｅから突部１５０のエッジ部１５０ｅに向かってクラックＫが発生してしまい、カメラ３００を、例えば水中下において使用すると、クラックＫを伝って、液体が内容物５００に進入してしまう場合があるといった問題があった。
【００１４】
尚、以上の問題は、前カバー７０に限らず、後カバー３０であっても同様であるとともに、一例として挙げたカメラ３００に限定された問題ではなく、防水機器の筐体に形成された液体が進入する下穴全てに共通する問題である。
【００１５】
このような問題に鑑み、下穴の底部側の径を大きく形成することにより、特許文献１に開示された構成と同様の理由により、ネジから下穴の底部側に付与される応力を緩和して、下穴の底部側における筐体の割れを防ぐ構成も周知である。
【００１６】
また、図７に、図６の前カバーに形成された突部の肩部に傾斜面が設けられているとともに、肩部の肉厚が図６よりも厚く形成された構成を概略的に示す部分断面図を示すが、図７に示すように、前カバー７０の内面７０ｎにおいて、突部１５０の突出面１５０ｔと該突出面以外の面１４０とを結ぶ肩部に傾斜面１８０が設けられていることにより、内面７０ｎに突部１５０に起因したエッジ部１５０ｅをなくすとともに、傾斜面１８０と下穴５０の底部５０ｔのエッジ部５０ｅとの間の肉厚Ｎを図６よりも厚くして、クラックＫが前カバー７０を貫通し難くする構成も周知である。尚、エッジ部１５０ｅも、ネジ締めの際に応力が集中しやすい箇所となっている他、前カバー７０を構成する材料の密度が粗になる箇所となっている。また、図７に示す構成は、カメラ３００以外の防水機器の筐体に適用する場合であっても同様の効果を有する。
【００１７】
さらに、図８に、図６の前カバーに形成された突部の肩部に曲面が設けられた構成を概略的に示す部分断面図を示すが、図８に示すように、前カバー７０の内面７０ｎにおいて、突部１５０の突出面１５０ｔと該突出面以外の面１４０とを結ぶ肩部に曲面１９０が設けられていることにより、内面７０ｎに突部１５０に起因するエッジ部１５０ｅをなくすことによって、クラックＫをエッジ部５０ｅから発生し難くする構成も周知である。尚、図８に示す構成は、カメラ３００以外の防水機器の筐体に適用する場合であっても同様の効果を有する。
【００１８】
しかしながら、これらの構成を用いたとしても、下穴の底部側に発生する筐体の割れを、効果的に低減させることは尚不充分といった問題があった。
【００１９】
本発明は、上記問題点に鑑みてなされたものであり、ネジが螺合されるとともに液体が進入する下穴の底部側に発生する筐体の割れを、確実に低減させることのできる構成を具備する防水機器を提供することを目的とする。
【課題を解決するための手段】
【００２０】
上記目的を達成するため本発明による防水機器は、外装を構成する筐体と、上記筐体に設けられた、ネジが螺合される内周面と底面とを有するネジ下穴と、を具備し、上記ネジ下穴は、該ネジ下穴の中心軸を含んだ平面において上記ネジ下穴を断面としたとき、上記内周面と上記底面との間が、曲面で繋がれた形状を有していることを特徴とする。
【００２１】
また、本発明による防水機器は、外装を構成する筐体と、上記筐体に設けられた、ネジが螺合される内周面と底面とを有するネジ下穴と、を具備し、上記ネジ下穴は、上記内周面と上記底面との間に、上記ネジ下穴の中心軸に沿った凸円錐形状を形成する曲面を有していることを特徴とする。
【発明の効果】
【００２２】
本発明によれば、ネジが螺合されるとともに液体が進入する下穴の底部側に発生する筐体の割れを、確実に低減させることのできる構成を具備する防水機器を提供することができる。
【発明を実施するための最良の形態】
【００２３】
以下、図面を参照して本発明の実施の形態を説明する。尚、以下に示す実施の形態において、防水機器は、カメラを例に挙げて説明する。
【００２４】
図１は、本実施の形態を示すカメラの外観を示す斜視図、図２は、図１のカメラの外装部材を分解した状態を概略的に示す斜視図、図３は、図２のカメラの後カバーに対して前カバー及び外装カバーを固定した後、前カバーに形成された下穴の中心軸を含んだ平面においてカメラを断面にした状態を概略的に示す断面図、図４は、図３の下穴の底部側の形状の変形例を示す部分断面図、図５は、図３の前カバーの内面において、下穴の対向位置に設けられた突部の形状の変形例を示す部分断面図である。
【００２５】
また、以下の説明において、図１に示すように、カメラを正立位置で構えた場合のカメラの左右方向をＸ方向とし、Ｘ方向と直交するカメラの上下方向をＺ方向とし、Ｘ、Ｚ方向に直交する前後のカメラの厚み方向をＹ方向として示す。さらに、Ｙ方向において、カメラの被写体側を前面側と称するとともに、カメラの撮影者側を背面側と称して示す。
【００２６】
図１に示すようにカメラ１の外装は、外装カバー２と、該外装カバー２内に設けられた筐体である前カバー７と、筐体である後カバー３とにより主要部が構成されている。
【００２７】
図２に示すように、後カバー３は、例えばＰＣ樹脂、ＡＢＳ樹脂等の合成樹脂から、Ｙ方向に沿って厚みを有する平板状に形成されている。また、後カバー３の中央部には、Ｘ方向に沿って細長な略直方体形状を有するＹ方向に貫通する貫通孔から構成された収容部３ｓが形成されている。
【００２８】
尚、収容部３ｓには、液晶パネル等から構成された表示パネル４０（図３参照）等が水密に収容される。また、後カバー３のＹ方向の背面（以下、単に背面と称す）側の外周位置における受け部に、収容部３ｓを囲むように、図示しない、例えばＳＵＳ等の金属材料から構成された外装カバーがさらに被覆されている。
【００２９】
また、後カバー３のＹ方向の前面（以下、単に前面と称す）において収容部３ｓを囲む外周位置における受け部に、水密用のＯリング１２が、収容部３ｓを囲むように周状に設けられている。
【００３０】
さらに、後カバー３の前面において収容部３ｓを囲む受け部におけるＯリング１２を避けた４隅に、後述するネジ９が螺合される、例えば円筒状のネジボス内に形成されたネジ下穴（以下、単に下穴と称す）１１がＹ方向に沿って前面側が開口するよう形成されている。尚、下穴１１は、カメラ１を水中等で使用した際、後述する貫通孔２ｈ、７ｈを介して液体が流れ込んでしまう穴となっている。
【００３１】
前カバー７は、ＰＣ樹脂、ＡＢＳ樹脂等の合成樹脂から背面側が開口された箱状形状となるよう外装が形成されているとともに、外装内に、対物レンズ窓２１を有する撮像ユニットやストロボ窓４を有する照明ユニット、シャッタ釦５や電源釦６、各釦５、６から入力された電気信号に応じて各ユニットを駆動制御する制御ユニット等の内容物が固定されて構成されている。
【００３２】
また、前カバー７のＺ方向の上面には、上述したシャッタ釦５や電源釦６等が設けられているとともに、外面である前面には、ストロボ窓４や対物レンズ窓２１等が設けられている。さらに、前カバー７の前面における４隅に、４本の貫通孔７ｈがＹ方向に沿って形成されている。
【００３３】
また、前カバー７の前面の略中央位置に、後述するネジ８が螺合される、例えば円筒状のネジボス内に形成されたネジ下穴（以下、単に下穴と称す）１０がＹ方向に沿って前面側が開口するよう形成されている。尚、下穴１０は、カメラ１を水中等で使用した際、後述する貫通孔２ｊを介して液体が流れ込んでしまう穴となっている。
【００３４】
前カバー７は、図３に示すように、カメラ１の組立の際、背面側の外周位置における受け部が、後カバー３の前面の収容部３ｓを囲む受け部に対して、Ｏリング１２を介して当接され、図示しない係止部材によって後カバー３に係止される。この際、４箇所の貫通孔７ｈは、それぞれ、後カバー３の前面に形成された４本の下穴１１に対向して位置する。
【００３５】
外装カバー２は、例えばＳＵＳ等の金属部材から背面側が開口された箱状形状となるよう形成されている。また、外装カバー２の前面における４隅に、４本の貫通孔２ｈがＹ方向に沿って形成されているとともに、前面における略中央に、貫通孔２ｊがＹ方向に沿って形成されている。
【００３６】
さらに、外装カバー２の前面に、ストロボ窓４を露出させる開口２ｋと、対物レンズ窓２１を露出させる開口２ｍとが形成されている。また、外装カバー２のＺ方向の上面に、シャッタ釦５を露出させる開口２ｐと、電源釦６を露出させる開口２ｑとが形成されている。
【００３７】
外装カバー２は、カメラ１の組立の際、図３に示すように、外装カバー２の内部の空間に、内容物が固定された前カバー７が位置するよう、前カバー７の外周面を被覆する。具体的には、外装カバー２は、前カバー７の前面と、Ｘ方向の左右側面と、Ｚ方向の上面及び底面を覆うとともに、４隅に形成された４本の貫通孔２ｈが、前カバー７の前面の４隅に形成された４本の貫通孔７ｈに対向するとともに、前面の略中央に形成された貫通孔２ｊが前カバー７の下穴１０に対向するように、前カバー７の前面側から、前カバー７の外周面を被覆する。
【００３８】
尚、被覆後、外装カバー２に形成された開口２ｍから、対物レンズ窓２１が観察されるとともに、開口２ｋからストロボ窓４が観察される。さらに、開口２ｐからシャッタ釦５が露出され、開口２ｑから電源釦６が露出される。
【００３９】
また、図示しないが、前カバー７のストロボ窓４と対物レンズ窓２１とシャッタ釦５の開口との間、電源釦６の開口との間には、既知の水密部材が設けられており、該水密部材により、カメラ１を水中等で使用した際、各開口２ｋ、２ｍ、２ｐ、２ｑから、液体が前カバー７に固定された内容物に進入してしまうことが防止されている。
【００４０】
外装カバー２は、前カバー７に対する被覆後、前カバー７の前面に対して固定される。
【００４１】
また、前カバー７の前面に形成された下穴１０に対して、外装カバー２に形成された貫通孔２ｊを介して、外装カバー２の前面側から、例えばタップネジから構成されたネジ８が螺合されることにより、外装カバー２は、前カバー７の前面に対し固定される。
【００４２】
このような構成により、カメラ１を水中や悪天候下において使用したとしても、後カバー３、外装カバー２、Ｏリング１２による水密構造により、水等の液体が前カバー７に固定された上述した内容物に進入してしまうことが防止されている。
【００４３】
次に、下穴の構造及び筐体の下穴が形成された部位の構造を、図３〜図５を用いて示す。尚、以下、下穴１０、前カバー７を例に挙げて、下穴の構造及び筐体の下穴が形成された部位の構造を説明する。
【００４４】
図３に示すように、前カバー７に形成された下穴１０は、該下穴１０の中心軸Ｓを含んだ平面において下穴１０を断面としたとき、Ｙ方向に沿って位置する円筒状の内周面１０ｓと、底面１０ｔとの間がなだらかな曲面１６で繋がれた形状を有して形成されている。尚、図３においては、底面１０ｔは、曲面形状を有している。
【００４５】
言い換えれば、下穴１０は、内周面１０ｓと底面１０ｔとの間に、中心軸Ｓに沿った凸円錐形状を有するなだらかな曲面１６を有している。尚、なだらかな曲面１６を構成する曲線としては、球面、２次曲線や３次曲線等が挙げられる。
【００４６】
具体的には、図３に示すように、下穴１０の底部側は、断面形状が部分円弧状となる球面に形成されている。尚、下穴の底部側は、球面に限らず、図４に示すように、底面１０ｔがＺ方向に沿った平面に形成されている場合には、内周面１０ｓと底面１０ｔとの間がなだらかな曲面１６で繋がれていることにより、断面形状が略台形となる擂り鉢状の面に形成されていても構わない。即ち、下穴１０の底部側は、図６に示したようなエッジ部５０ｅが形成されないなだらかな曲面を具備する形状を有している。
【００４７】
また、図３、図４に示した形状に限らず、下穴１０の底部側は、図６に示したようなエッジ部５０ｅが形成されない形状であれば、どのような形状であっても構わない。尚、下穴１１も、以上説明した下穴１０と同じ形状を有している。
【００４８】
さらに、図３に示すように、前カバー７の下穴１０の底面１０ｔ側の対向面となる内面７ｎにおいて、下穴１０と対向する位置に、下穴１０の底面１０ｔから離間する方向、即ちＹ方向の背面方向に突出する突部１５が形成されている。突部１５は、下穴１０の底面１０ｔと前カバー７の内面７ｎとの間が薄肉となることを防ぐために形成されている。
【００４９】
また、図３に示すように、前カバー７の内面７ｎにおいて突部１５を形成すると、突部１５に起因して、エッジ部１５ｅが内面７ｎに形成されてしまう。エッジ部１５ｅは、下穴１０にネジ８が螺合された際、ネジ８の締め付け応力が集中して、底面１０ｔ側からのクラックＫの発生を誘発する部位となってしまう。
【００５０】
よって、内面７ｎにエッジ部１５ｅが形成されてしまうことを防ぐために、図５に示すように、前カバー７の内面７ｎは、突出面１５ｔと、該突出面１５ｔを除く他の面１４との間が、曲面１９で繋がれた形状を有していることが好ましい。
【００５１】
言い換えれば、前カバー７の内面７ｎにおいては、突出面１５ｔと該突出面１５ｔを除く他の面１４との間に、両面１５ｔ、１４を繋ぐ曲面１９が設けられている。即ち、突部１５の肩部は、図３に示したようなエッジ部１５ｅが形成されないなだらかな曲面を具備する形状を有している。尚、突出面１５ｔと面１４とを繋ぐ曲面１９は、上述した図８に示した曲面１９０と同じものである。但し、エッジ部１５ｅが存在しても下穴１０より充分離間した位置にあればエッジ部があってもここからのクラックは生じない。
【００５２】
このように、本実施の形態においては、外装カバー２０を、前カバー７に固定する際にネジ８が螺合される下穴１０は、下穴１０の中心軸Ｓを含んだ平面において下穴１０を断面としたとき、Ｙ方向に沿って位置する内周面１０ｓと、底面１０ｔとの間がなだらかな曲面１６で繋がれた形状を有して形成されていると示した。
【００５３】
このことによれば、下穴１０の底部側には、上述した図６に示すようなエッジ部５０ｅが形成されないことから、樹脂を流し込んで下穴１０を有する前カバー７を形成する際、下穴１０の底部側への樹脂の流れ込みが良くなるため、下穴１０の底部側に樹脂密度が粗になる部位が形成され難くなる。また、外装カバー２０を前カバー７に固定するため下穴１０にネジ８が螺合された際、ネジ８の締め付け応力が集中する部位を、下穴１０の底部側からなくすことができる。
【００５４】
このことにより、カメラ１を水中等で使用した際、外装カバー２の貫通孔２ｊを介して、ネジ８が螺合する下穴１０に液体が進入したとしても、ネジ８の締め付け応力に起因して、液体に浸漬された下穴１０の底部側に発生するクラックＫ（図６参照）に伴う前カバー７の割れを、効果的かつ確実に低減させることができる。
【００５５】
尚、以上の効果は、下穴１０に限らず、カメラ１を水中等で使用した際、外装カバー２の貫通孔２ｈ、前カバー７の貫通孔７ｈを介して液体が進入する、ネジ９が螺合する下穴１１に対して本実施の形態を適用した場合であっても同様である。
【００５６】
また、本実施の形態においては、前カバー７の内面７ｎにおいて、下穴１０と対向する位置に、下穴１０の底面１０ｔと前カバー７の内面７ｎとの間が薄肉となってしまうことを防ぐ突部１５が形成されており、前カバー７の内面７ｎは、突部１５の突出面１５ｔと、該突出面１５ｔを除く他の面１４との間が、曲面１９で繋がれた形状を有していることが好ましいと示した。
【００５７】
このことによれば、前カバー７の内面７ｎには、上述した図６に示すような突部１５０に起因するエッジ部１５０ｅが形成されないことから、樹脂を流し込んで突部１５を有する前カバー７を形成する際、突部１５の突出面１５ｔ側への樹脂の流れ込みが良くなるため、内面７ｎに樹脂密度が粗になる部位が形成され難くなる他、外装カバー２０を前カバー７に固定するため下穴１０にネジ８が螺合された際、ネジ８の締め付け応力が集中する部位を、内面７ｎからなくすことができる。
【００５８】
このことにより、カメラ１を水中等で使用した際、外装カバー２の貫通孔２ｊを介して、ネジ８が螺合する下穴１０に液体が進入したとしても、ネジ８の締め付け応力に起因して液体に浸漬された下穴１０の底部側に発生するクラックＫに伴う前カバー７の割れを、効果的かつ確実に低減させることができる。
【００５９】
尚、前カバー７の内面７ｎに曲面１９を設けるとともに、下穴１０の底部側に曲面１６を設けることで、より効果的に、液体の進入とともにネジ８の締め付け応力に起因して下穴１０の底部側に発生するクラックＫの発生を、確実に低減させることができる。
【００６０】
以上から、ネジが螺合されるとともに液体が進入する下穴の底部側に発生する筐体の割れを、確実に低減させることのできる構成を具備するカメラを提供することができる。
【００６１】
尚、本実施の形態においては、防水機器は、カメラを例に挙げて示したが、これに限らず、水中や悪天候下等、機器に液体が接触しやすい場所で使用できる防水機器であれば、録音機器、携帯電話、ＰＤＡ、ゲーム機、デジタルビデオカメラ、デジタルメディアプレーヤー、テレビ、ＧＰＳ、時計等に適用しても、本発明と同様の効果を得ることができる。
【図面の簡単な説明】
【００６２】
【図１】本実施の形態を示すカメラの外観を示す斜視図。
【図２】図１のカメラの外装部材を分解した状態を概略的に示す斜視図。
【図３】図２のカメラの後カバーに対して前カバー及び外装カバーを固定した後、前カバーに形成された下穴の中心軸を含んだ平面においてカメラを断面にした状態を概略的に示す断面図。
【図４】図３の下穴の底部側の形状の変形例を示す部分断面図。
【図５】図３の前カバーの内面において、下穴の対向位置に設けられた突部の形状の変形例を示す部分断面図。
【図６】従来の防水カメラの構造の一例を概略的に示す断面図。
【図７】図６の前カバーに形成された突部の肩部に傾斜面が設けられているとともに、肩部の肉厚が図６よりも厚く形成された構成を概略的に示す部分断面図。
【図８】図６の前カバーに形成された突部の肩部に曲面が設けられた構成を概略的に示す部分断面図。
【符号の説明】
【００６３】
１…カメラ（防水機器）
３…後カバー（筐体）
７…前カバー（筐体）
７ｎ…内面
８…ネジ
９…ネジ
１０…下穴（ネジ下穴）
１０ｓ…内周面
１０ｔ…底面
１１…下穴（ネジ下穴）
１４…突出面を除く他の内面
１５…突部
１５ｔ…突出面
１６…曲面
１９…曲面
Ｓ…中心軸
【図１】
2009216143.tif 000003
【図２】
2009216143.tif 000004
【図３】
2009216143.tif 000005
【図４】
2009216143.tif 000006
【図５】
2009216143.tif 000007
【図６】
2009216143.tif 000008
【図７】
2009216143.tif 000009
【図８】
2009216143.tif 000010